(57)【特許請求の範囲】
【請求項１】
プラスチック製の雌部及び雄部と、ワイヤ部とからなる封緘具であって、前記雌部は挿入孔を持ち、前記雄部は先端に矢尻部を持つと共に、その両面に前端から後端にかけて長手方向に一対の溝部を持ち、前記ワイヤ部は一本のワイヤからなると共に、輪状部と、該輪状部から並列的に伸長する一対の直線部と、該直線部の先端に形成された一対の湾曲部と、該湾曲部から直線部と平行に伸長する直線部より短い一対の先端部とから形成されており、前記両溝部を挟み込むように前記ワイヤ部の直線部と先端部を雄部に掛け止めした状態で、雄部を雌部の挿入孔に挿入嵌合し、前記ワイヤ部の輪状部を雌部の挿入孔に引き抜き不能に固定する封緘具。
【請求項２】
前記雌部及び雄部は紐部で連結され一体的に形成されている請求項１に記載の封緘具。
【請求項３】
雌部に表示部を形成した請求項１又は２に記載の封緘具。
【発明の詳細な説明】
【０００１】
【発明の属する技術分野】
本願発明は、封緘具、詳しくは、プラスチック製の雌部と雄部と、この雄部で係止されるワイヤ部との組合せで形成する封緘具に関する。
【０００２】
【従来の技術】
従来の封緘具の多くは、特公平３−６０７４５  号公報及び実公昭５５−１８３０１号公報に記載されるように、雌部と雄部と、この雌部と雄部を繋ぐフィラメント部とからなるプラスチック製であり、被封緘物にフィラメント部を通した上、雌部に雄部を嵌合することによって、被封緘物を封緘するものである。
【０００３】
【発明が解決しようとする課題】
この従来の封緘具は、一旦、雌部に雄部を嵌合した後は、嵌合した雄部を引き抜いて封緘を破ることは困難であるとはいうものの、プラスチック製のフィラメント部の部分は鋏等で簡単に切断できるので、敢えて封緘を破ろうとする者に対しては無防備である。そこで、このように鋏等で簡単に切断して封緘を破ることが、物理的にも心理的にも困難な封緘具が求められている。
【０００４】
【課題を解決するための手段】
前記課題を解決するための本願発明の封緘具は、プラスチック製の雌部及び雄部と、ワイヤ部とからなる封緘具であって、前記雌部は挿入孔を持ち、前記雄部は先端に矢尻部を持つと共に、その両面に前端から後端にかけて長手方向に一対の溝部を持ち、前記ワイヤ部は一本のワイヤからなると共に、輪状部と、該輪状部から並列的に伸長する一対の直線部と、該直線部の先端に形成された一対の湾曲部と、該湾曲部から直線部と平行に伸長する直線部より短い一対の先端部とから形成されており、前記両溝部を挟み込むように前記ワイヤ部の直線部と先端部を雄部に掛け止めした状態で、雄部を雌部の挿入孔に挿入嵌合し、前記ワイヤ部の輪状部を雌部の挿入孔に引き抜き不能に固定するものである。
また、本願発明の封緘具は、前記雌部及び雄部は紐部で連結され一体的に形成されているものである。
更に、本願発明の封緘具は、雌部に表示部を形成したものである。
【０００５】
【発明の実施の形態】
本願発明の封緘具は、プラスチック製の嵌合部と、この嵌合部と別体であって嵌合部によって係止される一本のワイヤ部との組合せからなっている。
（１）  先ず、嵌合部の構成について、図１〜３によって説明する。
嵌合部１はプラスチックの射出成形で一体的に形成され、雌部６とこの雌部６に嵌合する雄部２と、この雌部６と雄部２を繋ぐ成形時の樹脂の通路と整理用の機能を持つ紐部１０とからなる。
【０００６】
雄部２は前端にハの字型の矢尻部３が形成されるが、この矢尻部３は横方向の押圧で幅を狭めるが、弾性力で直ちに原状に復帰するように構成される。この矢尻部３の両側に雄部２の中央部の前端から後端にかけ雄部２の全長にわたって長手方向に溝部４が形成され、更に雄部２の略中間部で溝部４が通る部分は除く周面から横方向に突出したカバー部５を有している。
【０００７】
雌部６は前記矢尻部３が幅を押圧で狭めながら挿入される挿入穴７が開口し、この穴の内壁には挿入された矢尻部３が弾性力で原状に復帰して引き抜き不能に係合する一対の突起部８が形成され、更に雌部６の後部には板状に形成された表示部９を有している。
（２）  次にワイヤ部の構成について、図４（Ａ），（Ｂ）  によって説明する。
【０００８】
ワイヤ部１１は、ピアノ線や硬線等の剛性がある強度の大きい一本のワイヤをその中間部で円形に丸めて輪状部１２を形成し、ワイヤが交わる手前でワイヤを輪状部１２から輪の外側にやや左右に間隔をあけて並列的に伸長させて一対の直線部１３を形成し、更に直線部１３から先の両端部をＵ字状に曲げＵ字状部分が相互に上下で重なり合うようにして一対の湾曲部１４を形成し、更に湾曲部１４から直線部１３に平行にワイヤを伸長させて一対の先端部１５を直線部１３より短く形成するように構成されている。更に、一対の先端部１５は相互に長さを異にするように構成するが、これは後で説明するように、ワイヤ部１１を嵌合部１の雄部２と組み合わせる際、組み合わせの操作を容易にする為である。
【０００９】
また、図５（Ａ），（Ｂ）  で示す他例のワイヤ部１１Ａでは、一本のワイヤをその中間位置で円形に丸めて輪状部１２Ａを形成しているが、上記のワイヤ部１１の場合と異なり、ワイヤが交わる手前でワイヤを輪状部１２Ａから輪の外側に、左右に間隔をあけるのではなく、やや上下に間隔をあけて並列的に伸長させて一対の直線部１３を形成して、湾曲部１４Ａが相互に上下ではなく左右で重なり合うようにして構成されている。
【００１０】
また、図６（Ａ），（Ｂ）  で示す次の他例のワイヤ部１１Ｂでは、輪状部１２Ｂが多角形に形成されると共に、湾曲部１４Ｂが相互に上下で重なり合うようにして構成されている。
また、図７（Ａ），（Ｂ）  で示す更なる他例のワイヤ部１１Ｃでは、輪状部１２Ｃが多角形に形成されると共に、湾曲部１４Ｃが相互に左右で重なり合うようにして構成されている。
（３）  次に、嵌合部１とワイヤ部１１，１１Ａ〜Ｃの組合せ方、即ち本願発明の封緘具の使用方法を説明するが、嵌合部１とワイヤ部１１の例で説明する。
【００１１】
先ず、ワイヤ部１１の輪状部１２を被封緘物に通した上、図８（Ａ）  に示すように（被封緘物は図から省略されている）、両直線部１３の間を広げ直線部１３の間で嵌合部１の雄部２の両溝部４を挟み込むようにしてから、図８（Ｂ）  に示すように両直線部１３の間を弾性で元に返して狭め、次いで直線部１３の間を湾曲部１４まで雄部２を引き込むと図８（Ｃ）  に示すように一対の直線部１３と先端部１５は雄部２の両溝部４に抱きつく状態で配置され、掛け止めされる。なお、直線部１３の間を湾曲部１４まで矢尻部２の両溝部４を引き込む際、一対の先端部１５は相互に長さが異なっているので、先端部１５が同時に両側から両溝部４間の壁の端部にぶつかって雄部２の引き込みを邪魔するようなことがなく、円滑に引き込むことができる。
【００１２】
または、図８（Ｄ）  に示すように、両溝部４に一方の直線部１３と先端部１５を引っかけ、次いで同じ両溝部４に他方の直線部１３と先端部１５も引っかけてから、図８（Ｂ）  が示すように直線部１３と先端部１５の間を湾曲部１４まで雄部２を引き込んで、ワイヤ部１１を雄部２に掛け止めても良い。この際、一対の先端部１５の内、長い先端部の方を先に溝部４に引っかけ、次いで短い先端部を引っかけると効率よく掛け止めできる。
【００１３】
次に、ワイヤ部１１を雄部２に掛け止めた状態で、雄部２を雌部６の挿入穴７に挿入すると、雄部２の矢尻部３が挿入穴７の突起部８に係合して抜けなくなり、図９に示すように、ワイヤ部１１は嵌合部１に引き抜き不能に係止され、被封緘物は封緘されるが（被封緘物は図から省略されている）、雄部２のカバー部５が雌部６の挿入穴７の周囲に被さった状態になるので、針等を挿入穴７と雄部２の間に挿入して細工し封緘を解除することができず、確実な封緘が可能となっている。
【００１４】
以上述べたことは、嵌合部１と他例のワイヤ部１１Ａ〜Ｃの組合せの場合でも基本的に同じである。
以上説明した本願発明の封緘具は、一般の封緘具と同様に使用できることは勿論であるが、ワイヤの輪状部１２に被封緘物を通すので、輪状部１２を切断して封緘を破ることが物理的にも心理的にも困難な封緘具として一層高い信頼性を持ち、かつ、体裁の良い封緘状態が得られる等の特徴がある他、キーホルダーとしての使用にも適している。
【００１５】
また、本願発明の封緘具は、大型のものから小型のものまで、安価に製造、提供でき、簡便に使用できる。
また、雌部６の表示部９は、被封緘物やキーに関する情報を記録、表示することに使用できるので、被封緘物やキーの識別、確認に便利である。
なお、ワイヤの輪状部１２としては、円形又は多角形の形状のものを以上で説明したが、要するに被封緘物やキーを通すことが可能な輪であればいかなる形状でも可能であることは勿論である。
【００１６】
【発明の効果】
本願発明は、上記の如き構成を採用することによって、次の効果を奏する。
(1) 被封緘物の封緘箇所にワイヤ部を通した上、ワイヤ部の端部を雄部に係合して雌部の孔に挿入嵌合すると、ワイヤ部は雌部に引き抜き不能に嵌合するので、封緘を破ることが物理的にも心理的にも困難な信頼性の高い封緘が可能である。
(2) 雄部の両側の溝部にワイヤ部の端部を抱きつくように係合させた状態で雄部を雌部に挿入嵌合すると、雄部と別体で製造したワイヤ部であっても極めて簡単に雌部に引き抜き不能に嵌合することができる。
(3) 輪状のワイヤ部を有する封緘具であるので、キーホルダとしての使用にも適しており、しかも一旦束ねたキーが散逸することのないキーホルダが得られる。
(4) 雌部及び雄部は紐部で連結され一体的に形成されているので、紐部が成型時の樹脂の通路となり、また整理用の機能も果たすことが出来る。
(5) 雌部に表示部を設けると、これに封緘した被封緘物やキーに関する情報を記録し表示することができ、被封緘物等の確認、識別に便利である。
【簡単な図面の説明】
【図１】嵌合部の平面図である。
【図２】嵌合部の正面図である。
【図３】図２のＡ−Ａ線矢視断面図である。
【図４】（Ａ）  ワイヤ部の平面図である。
（Ｂ）  ワイヤ部の側面図である。
【図５】（Ａ）  他例のワイヤ部の平面図である。
（Ｂ）  他例のワイヤ部の側面図である。
【図６】（Ａ）  次の他例のワイヤ部の平面図である。
（Ｂ）  次の他例のワイヤ部の側面図である。
【図７】（Ａ）  更なる他例のワイヤ部の平面図である。
（Ｂ）  更なる他例のワイヤ部の側面図である。
【図８】（Ａ）  雄部の溝部へのワイヤ部の引っかけ方を示す説明図である。
（Ｂ）  雄部の溝部へのワイヤ部の引っかけ方を示す図８（Ａ）  の次のステップの説明図である。  （Ｃ）  雄部の溝部にワイヤ部を配置し掛け止めた状態を示す図８（Ｂ）  の次のステップの説明図である。
（Ｄ）  雄部の溝部へのワイヤ部の引っかけ方の他の仕方を示す説明図である。
【図９】ワイヤ部が嵌合部に係止された封緘状態の封緘具を示す説明図である。（被封緘物は図から省略されている）
【符号の説明】
１  嵌合部      ２  雄部      ３  矢尻部      ４  溝部      ５  カバー部
６  雌部      ７  挿入穴      ８  突起部      ９  表示部    １０  紐部
１１  ワイヤ部      １２  輪状部      １３  直線部      １４  湾曲部
１５  先端部
【図１】
0003620941.tif 000002
【図２】
0003620941.tif 000003
【図３】
0003620941.tif 000004
【図４】
0003620941.tif 000005
【図５】
0003620941.tif 000006
【図６】
0003620941.tif 000007
【図７】
0003620941.tif 000008
【図８】
0003620941.tif 000009
【図９】
0003620941.tif 000010